(57)【要約】      （修正有）【課題】本体とインデックスベース部との境界部の破損を防止した仕切体を提供する。【解決手段】仕切体Ｓは、小物を収納する箱状本体の内部空間を仕切る仕切体Ｓであって、仕切体Ｓは、略四角形状の本体と、この本体の上縁の一部から突出、又は、本体の上縁の上に位置し、見出しの土台を形成するインデックスベース部と、このインデックスベース部と本体を全体的に被覆する被覆部材２０とを備え、この被覆部材２０の内、インデックスベース部２０を被覆した部位は、インデックスベース部被覆部位２０Ａであり、このインデックスベース部被覆部位２０Ａに収納される内容物を直接表示又は収納される内容物を表示する表示体を取り付けるものである。【選択図】図３
2012012050.tif 000002
【特許請求の範囲】
【請求項１】
小物を収納する箱状本体の内部空間を仕切る仕切体であって、
前記仕切体は、
略四角形状の本体と、
この本体の上縁の一部から突出、又は、前記本体の上縁の上に位置し、見出しの土台を形成するインデックスベース部と、
このインデックスベース部と前記本体を全体的に被覆する被覆部材とを備え、
この被覆部材の内、前記インデックスベース部を被覆した部位は、インデックスベース部被覆部位であり、
このインデックスベース部被覆部位に収納される内容物を直接表示又は収納される内容物を表示する表示体を取り付ける
ことを特徴とする仕切体。
【請求項２】
小物を収納する箱状本体の内部空間を仕切る仕切体であって、
前記仕切体は、
略四角形状の本体と、
この本体の上縁の一部から突出、又は、前記本体の上縁の上に位置し、見出しの土台を形成するインデックスベース部と、
この本体の右縁から延出、又は、前記本体の右縁の側方に位置する右側方ベース部と、
前記本体の左縁から延出、又は、前記本体の左縁の側方に位置する左側方ベース部と、
前記インデックスベース部、前記右側方ベース部、前記左側方ベース部及び前記本体を全体的に被覆する被覆部材とを備え、
この被覆部材の内、前記インデックスベース部を被覆した部位は、インデックスベース部被覆部位であり、
このインデックスベース部被覆部位に収納される内容物を直接表示又は収納される内容物を表示する表示体を取り付け、
前記被覆部材の内、前記右側方ベース部を被覆した部位は、右側方ベース部被覆部位であり、
この右側方ベース部被覆部位に第１の面状ファスナーを取り付け、
前記被覆部材の内、前記左側方ベース部を被覆した部位は、左側方ベース部被覆部位であり、
この左側方ベース部被覆部位に第２の面状ファスナーを取り付け、
前記被覆部材の内、前記本体を被覆した部位は、本体被覆部位であり、
前記本体被覆部位と前記右側方ベース部被覆部位との境界部は折曲自在であり、
前記本体被覆部位と前記左側方ベース部被覆部位との境界部は折曲自在である
ことを特徴とする仕切体。
【請求項３】
小物を収納する箱状本体の内部空間を仕切る仕切体であって、
前記仕切体は、
略四角形状の本体と、
この本体の上縁の一部から突出、又は、前記本体の上縁の上に位置し、見出しの土台を形成するインデックスベース部と、
このインデックスベース部と前記本体を全体的に被覆する被覆部材とを備え、
この被覆部材の内、前記インデックスベース部を被覆した部位は、インデックスベース部被覆部位であり、
略四角形状であって、前記インデックスベース部被覆部位の表裏に亘って透明のカバー体で覆い、
前記透明のカバー体と前記被覆部材とは、前記インデックスベース部と前記本体との境界部に沿って接合手段により取り付けられ、
前記透明のカバー体と前記被覆部材との間に収納される内容物を表示する表示体が挿入されている
ことを特徴とする仕切体。
【請求項４】
小物を収納する箱状本体の内部空間を仕切る仕切体であって、
前記仕切体は、
略四角形状の本体と、
この本体の上縁の一部から突出、又は、前記本体の上縁の上に位置し、見出しの土台を形成するインデックスベース部と、
前記本体の右縁から突出、又は、前記本体の右縁の右に位置する右側方ベース部と、
前記本体の左縁から突出、又は、前記本体の左縁の左に位置する左側方ベース部と、
前記インデックスベース部、前記右側方ベース部、前記左側方ベース部及び前記本体を全体的に被覆する被覆部材とを備え、
この被覆部材の内、前記インデックスベース部を被覆した部位は、インデックスベース部被覆部位であり、
略四角形状であって、前記インデックスベース部被覆部位の表裏に亘って透明のカバー体で覆い、
前記透明のカバー体と前記被覆部材とは、前記インデックスベース部と前記本体との境界部に沿って接合手段により取り付けられ、
前記透明のカバー体と前記被覆部材との間に収納される内容物を表示する表示体が挿入され、
前記被覆部材の内、前記右側方ベース部を被覆した部位は、右側方ベース部被覆部位であり、
この右側方ベース部被覆部位に第１の面状ファスナーを取り付け、
前記被覆部材の内、前記左側方ベース部を被覆した部位は、左側方ベース部被覆部位であり、
この左側方ベース部被覆部位に第２の面状ファスナーを取り付け、
前記被覆部材の内、前記本体を被覆した部位は、本体被覆部位であり、
前記本体被覆部位と前記右側方ベース部被覆部位との境界部は折曲自在であり、
前記本体被覆部位と前記左側方ベース部被覆部位との境界部は折曲自在である
ことを特徴とする仕切体。
【請求項５】
接合手段が縫製であることを特徴とする請求項３又は請求項４記載の仕切体。
【請求項６】
表示体には、書き込みができる欄の他に、レッグウェア又はインナーウェアが装着される体の部位が描かれている
ことを特徴とする請求項１〜５のいずれかの仕切体。
【発明の詳細な説明】
【技術分野】
【０００１】
本発明は、仕切体に係り、特に、本体とインデックスベース部との境界部の破損を防止した仕切体に関する。
【背景技術】
【０００２】
従来、小物を収納する箱状本体の内部空間を仕切る仕切体がある（例えば、特許文献１参照）。
【先行技術文献】
【特許文献】
【０００３】
【特許文献１】実用新案登録第３０８４３９８号公報
【発明の概要】
【発明が解決しようとする課題】
【０００４】
しかしながら、上述した仕切体には、収納される内容物の見出しがなく使用勝手が良好でないという問題点があった。
かかる問題点を除去するように、仕切板の本体に見出しとしてインデックス部分を突出して設けることが考えられるが、突出したインデックス部分を指で摘むため、本体とインデックスベース部との境界部が破損し易いという新たな問題点が生じた。
【０００５】
本発明は、本体とインデックスベース部との境界部の破損を防止した仕切体を提供することを目的とする。
【課題を解決するための手段】
【０００６】
請求項１記載の仕切体は、小物を収納する箱状本体の内部空間を仕切る仕切体であって、前記仕切体は、略四角形状の本体と、この本体の上縁の一部から突出、又は、前記本体の上縁の上に位置し、見出しの土台を形成するインデックスベース部と、このインデックスベース部と前記本体を全体的に被覆する被覆部材とを備え、この被覆部材の内、前記インデックスベース部を被覆した部位は、インデックスベース部被覆部位であり、このインデックスベース部被覆部位に収納される内容物を直接表示又は収納される内容物を表示する表示体を取り付けるものである。
【０００７】
また、請求項２記載の仕切体は、小物を収納する箱状本体の内部空間を仕切る仕切体であって、前記仕切体は、略四角形状の本体と、この本体の上縁の一部から突出、又は、前記本体の上縁の上に位置し、見出しの土台を形成するインデックスベース部と、この本体の右縁から延出、又は、前記本体の右縁の側方に位置する右側方ベース部と、前記本体の左縁から延出、又は、前記本体の左縁の側方に位置する左側方ベース部と、前記インデックスベース部、前記右側方ベース部、前記左側方ベース部及び前記本体を全体的に被覆する被覆部材とを備え、この被覆部材の内、前記インデックスベース部を被覆した部位は、インデックスベース部被覆部位であり、このインデックスベース部被覆部位に収納される内容物を直接表示又は収納される内容物を表示する表示体を取り付け、前記被覆部材の内、前記右側方ベース部を被覆した部位は、右側方ベース部被覆部位であり、この右側方ベース部被覆部位に第１の面状ファスナーを取り付け、前記被覆部材の内、前記左側方ベース部を被覆した部位は、左側方ベース部被覆部位であり、この左側方ベース部被覆部位に第２の面状ファスナーを取り付け、前記被覆部材の内、前記本体を被覆した部位は、本体被覆部位であり、前記本体被覆部位と前記右側方ベース部被覆部位との境界部は折曲自在であり、前記本体被覆部位と前記左側方ベース部被覆部位との境界部は折曲自在である  。
【０００８】
また、請求項３記載の仕切体は、小物を収納する箱状本体の内部空間を仕切る仕切体であって、前記仕切体は、略四角形状の本体と、この本体の上縁の一部から突出、又は、前記本体の上縁の上に位置し、見出しの土台を形成するインデックスベース部と、このインデックスベース部と前記本体を全体的に被覆する被覆部材とを備え、この被覆部材の内、前記インデックスベース部を被覆した部位は、インデックスベース部被覆部位であり、略四角形状であって、前記インデックスベース部被覆部位の表裏に亘って透明のカバー体で覆い、前記透明のカバー体と前記被覆部材とは、前記インデックスベース部と前記本体との境界部に沿って接合手段により取り付けられ、前記透明のカバー体と前記被覆部材との間に収納される内容物を表示する表示体が挿入されているものである。
【０００９】
また、請求項４記載の仕切体は、小物を収納する箱状本体の内部空間を仕切る仕切体であって、前記仕切体は、略四角形状の本体と、この本体の上縁の一部から突出、又は、前記本体の上縁の上に位置し、見出しの土台を形成するインデックスベース部と、前記本体の右縁から突出、又は、前記本体の右縁の右に位置する右側方ベース部と、前記本体の左縁から突出、又は、前記本体の左縁の左に位置する左側方ベース部と、前記インデックスベース部、前記右側方ベース部、前記左側方ベース部及び前記本体を全体的に被覆する被覆部材とを備え、この被覆部材の内、前記インデックスベース部を被覆した部位は、インデックスベース部被覆部位であり、略四角形状であって、前記インデックスベース部被覆部位の表裏に亘って透明のカバー体で覆い、前記透明のカバー体と前記被覆部材とは、前記インデックスベース部と前記本体との境界部に沿って接合手段により取り付けられ、前記透明のカバー体と前記被覆部材との間に収納される内容物を表示する表示体が挿入され、前記被覆部材の内、前記右側方ベース部を被覆した部位は、右側方ベース部被覆部位であり、この右側方ベース部被覆部位に第１の面状ファスナーを取り付け、前記被覆部材の内、前記左側方ベース部を被覆した部位は、左側方ベース部被覆部位であり、この左側方ベース部被覆部位に第２の面状ファスナーを取り付け、前記被覆部材の内、前記本体を被覆した部位は、本体被覆部位であり、前記本体被覆部位と前記右側方ベース部被覆部位との境界部は折曲自在であり、 前記本体被覆部位と前記左側方ベース部被覆部位との境界部は折曲自在である。
【００１０】
また、請求項５記載の仕切体は、請求項３又は請求項４記載の仕切体において、接合手段が縫製である。
【００１１】
また、請求項６記載の仕切体は、請求項１〜５のいずれかの仕切体において、表示体には、書き込みができる欄の他に、レッグウェア又はインナーウェアが装着される体の部位が描かれているものである。
【発明の効果】
【００１２】
インデックス部分が突出して設けられている分、インデックス部分を指で摘むため、本体とインデックスベース部との境界部が破損し易いが、請求項１記載の仕切体によれば、インデックスベース部と本体を被覆部材で全体的に被覆するため、本体とインデックスベース部との境界部の破損を防止して、丈夫な仕切体を得ることができる。
【００１３】
インデックス部分が突出して設けられている分、インデックス部分を指で摘むため、本体とインデックスベース部との境界部が破損し易いが、請求項２記載の仕切体によれば、インデックスベース部と本体を被覆部材で全体的に被覆するため、本体とインデックスベース部との境界部の破損を防止して、丈夫な仕切体を得ることができる。
【００１４】
インデックス部分が突出して設けられている分、インデックス部分を指で摘むため、本体とインデックスベース部との境界部の破損し易いが、請求項３記載の仕切体によれば、インデックスベース部と本体を被覆部材で全体的に被覆するため、本体とインデックスベース部との境界部の破損を防止して、丈夫な仕切体を得ることができ、しかも、収納される内容物を表示する表示体を透明のカバー体と被覆部材との間に挿入して、簡易且つ迅速に収納される内容物を表示することができる。
【００１５】
インデックス部分が突出して設けられている分、インデックス部分を指で摘むため、本体とインデックスベース部との境界部の破損し易いが、請求項４記載の仕切体によれば、インデックスベース部と本体を被覆部材で全体的に被覆するため、本体とインデックスベース部との境界部の破損を防止して、丈夫な仕切体を得ることができ、しかも、収納される内容物を表示する表示体を透明のカバー体と被覆部材との間に挿入して、簡易且つ迅速に収納される内容物を表示することができる。
【００１６】
また、請求項５記載の仕切体によれば、前述した請求項３又は４記載の発明の効果に加え、境界部の一方側の被覆部材と境界部の他方側の被覆部材と縫製により接合されているため、本体とインデックスベース部との境界部の破損をより防止することができる。
【００１７】
また、請求項６記載の仕切体によれば、前述した請求項１〜５のいずれかの記載の発明の効果に加え、表示体に内容物を表示する際、内容物に応じて、レッグウェア又はインナーウェアが装着される体の部位を塗りつぶすことにより、簡易且つ迅速に表示することができる。
【図面の簡単な説明】
【００１８】
【図１】図１は、本発明の一実施例の仕切体の使用状態の概略的斜視図である。
【図２】図２は、図１の箱状本体の収納状態の概略的斜視図である。
【図３】図３は、図１の仕切体の概略的斜視図である。
【図４】図４は、図３の仕切体を展開して示す概略的展開図である。
【図５】図５は、図４の５−５線による概略的断面図である。
【図６】図６は、図４の６−６線による概略的断面図である。
【図７】図７は、図６の一部を拡大して示す概略的一部拡大断面図である。
【図８】図８は、図３の仕切体と異なる他の実施例の仕切体の概略的斜視図である。
【図９】図９は、図８の９−９線による概略的断面図である。
【図１０】図１０は、図８の１０−１０線による概略的断面図である。
【図１１】図１１は、図１０の一部を拡大して示す概略的一部拡大断面図である。
【図１２】図１２（ａ）は、図８の表示体の概略的正面図であり、図１２（ｂ）（ｃ）（ｄ）は、図１２（ａ）の表示体の使用形態をそれぞれ示す概略的正面図である。
【図１３】図１３は、図１２の表示体と異なる他の実施例の表示体の概略的正面図であり、図１３（ｂ）（ｃ）は、図１３（ａ）の表示体の使用形態をそれぞれ示す概略的正面図である。
【図１４】図１４は、図３の仕切体を箱状本体に組み込む状態を示す概略的斜視図である。
【図１５】図１５は、図１４の１５−１５線による概略的断面図である。
【図１６】図１６は、図１４の箱状本体内の仕切りを示す概略的斜視図である。
【図１７】図１７は、図１の仕切りと異なる形態を示す概略的斜視図である。
【発明を実施するための形態】
【００１９】
本発明の一実施例の仕切体を図面を参照して説明する。
図１乃至図５に示すＳは仕切体で、仕切体Ｓは、小物１を収納する箱状本体２の内部空間を仕切るもので、３は、箱状本体２の側方に設けられた小物収納部である。なお、小物１は、例えば、レッグウェア、インナーウェア等であり、箱状本体２は、例えば、図２に示すように、タンス４の引き出し５内に収納される。
【００２０】
仕切体Ｓは、図４に示すように、略四角形状の本体１０（四角形ＡＢＣＤ）と、この本体１０の上縁ＡＢの一部ＡＥから突出させて見出しの土台を形成するインデックスベース部１１（四角形ＡＥＥ’Ｅ”）と、本体１０の右縁ＢＣから突出する右側方ベース部１２と、本体１０の左縁ＤＡから突出する左側方ベース部１３と、インデックスベース部１１、右側方ベース部１２、左側方ベース部１３及び本体１０の表裏に亘って全体的に被覆する被覆部材２０とを備えている。
なお、インデックスベース部１１の辺ＥＥ’（図４）と上辺Ｅ”Ｅ’（又はＡＥ）とは、直交するように構成しても良いが、望ましくは、図４に示すように、インデックスベース部１１の辺ＥＥ’は、上辺Ｅ”Ｅ’に向かって狭まる方向へ傾斜し、本体１０とインデックスベース部１１との境界部の破損の防止を図るようにしている。これに伴い、インデックスベース部１１の辺ＥＥ’の傾斜に対応する後述するインデックスベース部被覆部位２０Ａの部位も傾斜している。
【００２１】
被覆部材２０の内、インデックスベース部１１を被覆した部位は、インデックスベース部被覆部位２０Ａであり、３０は透明のカバー体である。この透明のカバー体３０は、略四角形状であって、インデックスベース部被覆部位２０Ａの表裏に亘って覆い（図６参照）、透明のカバー体３０と被覆部材２０とは、インデックスベース部１１と本体１０との境界部Ｘに沿って接合手段、例えば、縫製により取り付けられている。
なお、図６及び図７に示す６は、縫製による糸を示している。そして、透明のカバー体３０と被覆部材２０との間に表示体４０（図４参照）が挿入されるようになっている。この表示体４０は、収納される内容物を表示するものである。
また、表示体４０には、図１２（ａ）に示すように、書き込みができる欄４０１、４０２の他に、例えば、予め、レッグウェアが装着される体の部位が描かれ（表示部４０３）、装着される体の部位を塗りつぶす[図１２（ｂ）（ｃ）（ｄ）（ｅ）］ことにより、簡易且つ迅速に表示することができる。なお、欄４０１、４０２には、例えば、ソックス、タイツ、レギンス等の名前、７０デニールなどの厚さ、ダイヤ柄などの柄、１０分丈などの丈を記入することができるようになっている。
また、表示体４０は、図１２（ａ）（ｂ）（ｃ）（ｄ）（ｅ）に示すものの他、図１３（ａ）に示すように、書き込みができる欄４０１、４０２の他に、例えば、予め、インナーウェアが装着される体の部位が描かれ（表示部４０３）、装着される体の部位を塗りつぶす[図１３（ｂ）（ｃ）］ことにより、簡易且つ迅速に表示することができる。なお、欄４０１、４０２には、例えば、長袖等の袖丈、丸襟などの形状、薄手などの厚さ、「新」などの新古を記入することができるようになっている。
また、図１、図２、図１４、図１５、図１６及び図１７に示す３０’は、表示体４０を挿入して、表示体４０の内容を示す透明なインデックスポケットである。
【００２２】
また、図４に示すように、被覆部材２０の内、右側方ベース部１２を被覆した部位は、右側方ベース部被覆部位２０Ｂであり、この右側方ベース部被覆部位２０Ｂに第１の面状ファスナーＦ１を取り付けている。また、被覆部材２０の内、左側方ベース部１３を被覆した部位は、左側方ベース部被覆部位２０Ｃであり、この左側方ベース部被覆部位２０Ｃに第２の面状ファスナーＦ２を取り付けている。また、被覆部材２０の内、本体１０を被覆した部位は、本体被覆部位２０Ｄで、本体被覆部位２０Ｄと右側方ベース部被覆部位２０Ｂとの境界部Ｙは折曲自在であり、本体被覆部位２０Ｄと左側方ベース部被覆部位２０Ｃとの境界部Ｚは折曲自在となっている（図３参照）。
【００２３】
そして、インデックス部分が突出して設けられている分、インデックス部分を指で摘むため、本体１０とインデックスベース部１１との境界部Ｘが破損し易いが、上述した実施例の仕切体Ｓによれば、インデックスベース部１１と本体１０を被覆部材２０で全体的に被覆するため、本体１０とインデックスベース部１１との境界部Ｘの破損を防止して、丈夫な仕切体Ｓを得ることができ、しかも、収納される内容物を表示する表示体４０を透明のカバー体３０と被覆部材２０との間に挿入して、簡易且つ迅速に収納される内容物を表示することができ、更に、透明のカバー体３０と被覆部材２０とは、インデックスベース部１１と本体１０との境界部Ｘに沿うと共に、境界部Ｘの一方側の被覆部材２０と境界部Ｘの他方側の被覆部材２０と縫製により接合されているため、本体１０とインデックスベース部１１との境界部Ｘの破損をより防止することができる。
【００２４】
また、上述の実施例においては、インデックスベース部１１を本体１０の上縁ＡＢの一部ＡＥから突出させるようにしたが、本願発明にあっては、これに限らず、本体１０とインデックスベース部１１を不連続（別体）（本体１０の四角形ＡＢＣＤ、インデックスベース部１１の四角形Ｅ”’Ｅ0 Ｅ’Ｅ”）、つまり、図８乃至図１１に示すように、インデックスベース部１１を本体１０の上縁ＡＥの上に位置させても良い。
また、上述の実施例においては、右側方ベース部１２を本体１０の右縁ＢＣから突出させるようにしたが、本願発明にあっては、これに限らず、本体１０と右側方ベース部１２を不連続（別体）、つまり、図８乃至図１１に示すように、右側方ベース部１２を本体１０の右縁ＢＣの右に位置させても良い。
また、上述の実施例においては、左側方ベース部１３を本体１０の左縁ＤＡから突出させるようにしたが、本願発明にあっては、これに限らず、本体１０と左側方ベース部１３を不連続（別体）、つまり、図８乃至図１１に示すように、左側方ベース部１３を本体１０の左縁ＤＡの左に位置させても良い。
そして、これら本体１０、インデックスベース部１１、右側方ベース部１２及び左側方ベース部１３の表裏を全体に亘って、被覆部材２０によって覆うようにしている。
【００２５】
また、上述の実施例においては、右側方ベース部１２及び左側方ベース部１３を設けるようにしたが、本願発明にあっては、これに限らず、右側方ベース部１２及び左側方ベース部１３を省略しても良い。
【００２６】
また、上述の実施例においては、右側方ベース部１２、左側方ベース部１３を設け、更に、右側方ベース部１２と左側方ベース部１３の部位を被覆部材で覆うようにしたが、本願発明にあっては、これに限らず、右側方ベース部１２及び左側方ベース部１３を省略すると共に、右側方ベース部１２と左側方ベース部１３の部位を覆う被覆部材の部位をも省略しても良い。
かかる場合の仕切体は、略四角形状の本体１０と、この本体１０の上縁の一部から突出、又は、本体１０の上縁の上に位置し、見出しの土台を形成するインデックスベース部１１と、このインデックスベース部１１と本体１０を全体的に被覆する被覆部材２０となる。
【００２７】
また、上述の実施例においては、透明のカバー体３０と被覆部材２０との間に表示体４０が挿入される構成としたが、本願発明にあっては、これに限らず、透明のカバー体３０を設けず、インデックスベース部被覆部位２０Ａに収納される内容物を直接表示（直接筆記具で記す。）しても良いし、収納される内容物を表示する表示体４０を貼り付けるようにしても良い。
【００２８】
なお、上述した仕切体Ｓは、次のようにして組み込まれる。
図１６に示すように、例えば、箱状本体２を第１の仕切体Ｓ’により大きく２つの室Ａ、Ｂに仕切られ、室Ａ、Ｂを仕切体Ｓによりそれぞれ５個の室に細かく仕切られる。仕切られた室に丸められた小物１を収納するようになっている。なお、図１４乃至図１６に示すＭ１〜Ｍ１０は、面状ファスナーである。例えば、仕切板Ｓの第１の面状ファスナーＦ１は面状ファスナーＭ６に、仕切板Ｓの第２の面状ファスナーＦ２は面状ファスナーＭ１に、面状ファスナーＭ７は面状ファスナーＭ３に、面状ファスナーＭ８は面状ファスナーＭ４に、それぞれ係止するようになっている。
【００２９】
また、上述の実施例においては、図１に示すように、インデックスベース部１１が全て左側に位置するように配置しているが、本願発明にあっては、これに限らず、例えば、図１４に示す仕切体Ｓを１８０度水平方向に回転して、インデックスベース部１１が右側に位置するようにして、図１７に示すように、インデックスベース部１１が左、右と交互に配置するようにしても良い。
【符号の説明】
【００３０】
Ｓ      仕切体
１      小物
２      箱状本体
３      電車玩具
１０    本体
１１    インデックスベース部
２０    被覆部材
２０Ａ  インデックスベース部被覆部位
４０    表示体
【図１】
2012012050.tif 000003
【図２】
2012012050.tif 000004
【図３】
2012012050.tif 000005
【図４】
2012012050.tif 000006
【図５】
2012012050.tif 000007
【図６】
2012012050.tif 000008
【図７】
2012012050.tif 000009
【図８】
2012012050.tif 000010
【図９】
2012012050.tif 000011
【図１０】
2012012050.tif 000012
【図１１】
2012012050.tif 000013
【図１２】
2012012050.tif 000014
【図１３】
2012012050.tif 000015
【図１４】
2012012050.tif 000016
【図１５】
2012012050.tif 000017
【図１６】
2012012050.tif 000018
【図１７】
2012012050.tif 000019